(57)【要約】【課題】  押釦ハンドルとスイッチの操作体との衝突や押釦ハンドルと器体との衝突による騒音の発生を防止することができる押釦構造を提供する。【解決手段】  押釦ハンドル１が器体２の内面に押しつけられるように押釦ハンドル１を前方へ付勢するばね片２７を器体２に設けた。器体２の内面に押しつけられることによって押釦ハンドル１の姿勢が安定するから、器体２が振動した場合にも押釦ハンドル１とスイッチの操作体との衝突や押釦ハンドル１と器体２との衝突による騒音の発生を防止することができる。【選択図】図１
2005183231.tif 000002
【特許請求の範囲】
【請求項１】
電子機器に内蔵されたスイッチを操作する押釦構造であって、スイッチが収納された電子機器の器体前面にスイッチの操作体を露出させる露出穴が開口し、スイッチの操作体を操作する押釦ハンドルを器体前面に対して前後方向に変位自在に取り付けた押釦構造において、押釦ハンドルは、操作部の非操作時に押釦ハンドルが器体から前方に外れるのを防止する規制手段を有し、器体は、押釦ハンドルを前方へ付勢するばね片を有することを特徴とする押釦構造。
【発明の詳細な説明】
【技術分野】
【０００１】
本発明は、押釦ハンドルによってスイッチを操作する押釦構造に関するものである。
【背景技術】
【０００２】
従来から、電子機器の器体の前面に露出した押釦ハンドルを押操作することによって、器体に収納されたスイッチの操作体を操作する押釦構造が提供されている（例えば、特許文献１参照）。この種の押釦構造は、押力を受けて変位した押釦ハンドルを、押力が除去された後に、押力を受ける前の位置に復帰させるための復帰手段を備える。
【特許文献１】特開平１１−１３６３２８号公報（第３−４頁、第２図）
【発明の開示】
【発明が解決しようとする課題】
【０００３】
しかし、従来は、復帰手段による復帰力が押釦ハンドルの可動範囲の前端までは及ばなかったため、押力を受けていない状態での押釦ハンドルの姿勢が安定しなかった。このため、例えば器体にスピーカーが内蔵されていてそれが鳴動した場合など、器体が振動した場合に、押釦ハンドルとスイッチの操作体との衝突や、押釦ハンドルと器体との衝突が何度も繰り返し発生することにより騒音が生じることがあった。
【０００４】
本発明は上記事由に鑑みて為されたものであり、その目的は、押釦ハンドルとスイッチの操作体との衝突や押釦ハンドルと器体との衝突による騒音の発生を防止することができる押釦構造を提供することにある。
【課題を解決するための手段】
【０００５】
請求項１の発明は、電子機器に内蔵されたスイッチを操作する押釦構造であって、スイッチが収納された電子機器の器体前面にスイッチの操作体を露出させる露出穴が開口し、スイッチの操作体を操作する押釦ハンドルを器体前面に対して前後方向に変位自在に取り付けた押釦構造において、押釦ハンドルは、操作部の非操作時に押釦ハンドルが器体から前方に外れるのを防止する規制手段を有し、器体は、押釦ハンドルを前方へ付勢するばね片を有することを特徴とする。
【０００６】
この発明によれば、押釦ハンドルの姿勢が安定するから、器体が振動した場合にも押釦ハンドルとスイッチの操作体との衝突や押釦ハンドルと器体との衝突による騒音の発生を防止することができる。
【発明の効果】
【０００７】
本発明によれば、押釦ハンドルを前方へ付勢するばね片を器体に設けたので、押釦ハンドルの姿勢が安定するから、器体が振動した場合にも押釦ハンドルとスイッチの操作体との衝突や押釦ハンドルと器体との衝突による騒音の発生を防止することができるという効果がある。
【発明を実施するための最良の形態】
【０００８】
以下、本発明を実施するための最良の形態について図面を参照しながら説明する。
【０００９】
本実施形態は、図２に示すインターホン副親機に本発明を適用したものである。但し、本発明はこれに限られず種々の電子機器に適用可能である。
【００１０】
このインターホン副親機は、例えば、玄関先などに配設された子機や、室内に配設された親機及び他の副親機ととともにインターホンシステムを構成し、これら子機及び親機及び他の副親機との通話や、電気錠の施錠及び解錠や、警報の機能を有する。以下、上下左右は図２（ａ）を基準とし、図２（ａ）の紙面手前側を前方として説明する。このインターホン副親機は、上述した通話や施解錠や警報といった機能を実現するための電子回路およびこれらの機能の開始及び終了のトリガとなるスイッチを実装したプリント配線板（図示せず）が内蔵された器体２を備える。器体２は、前面が開放された直方体形状に形成され壁面等の取付面に取り付けられるボディ２ａと、後面が開放された直方体形状に形成されボディ２ａの前側に被着されるカバー２ｂとからなる。ボディ２ａ及びカバー２ｂは、例えば合成樹脂成形品からなる。
【００１１】
そして、器体２の前面下部には、通話の開始及び終了のトリガとなるスイッチを操作するための大型の押釦ハンドル１が設けられ、器体２の前面上部には、警報を鳴らす機能のトリガとなるスイッチを操作するための丸型の押釦ハンドル８が設けられている。音響の停止や、電気錠の施錠及び解錠や、親機及び他の副親機の呼び出しなどの比較的使用頻度の低い機能のトリガである４個のスイッチをそれぞれ操作するための４個の長方形状の押釦ハンドル４〜７は、器体２の前面中央部に縦横２列に並べて設けてある。また、押釦ハンドル１の上側には、器体２に内蔵されたスピーカの音を出すための音穴３が設けられている。さらに、器体２の下面には、通話の音量調整と電源のオンオフとを行うためのスライドスイッチ９が設けられている。
【００１２】
以下、本発明の要点である押釦構造について説明する。簡単に説明すると、本実施形態は、器体２に設けたばね片２７のばね力によって押釦ハンドル１の一部を器体２の内面に押し付けて押釦ハンドル１の姿勢を安定させることで、警報時の器体２内のスピーカの鳴動などで器体２が振動した場合であっても騒音の発生を防止することができるものである。
【００１３】
詳しく説明すると、押釦ハンドル１は、図３及び図４に示すように、長方形平板状の操作部１１と、操作部１１の上辺の中間から上方に突設された係止片１２と、操作部１１の上辺の左右端の近傍からそれぞれ後方へ突設されたＵ字形状のＵ字ばね片１３と、操作部１１の左右の辺のそれぞれ下端から後方へ突設された脚片１４と、脚片１４の後端からそれぞれ左右に突設された係止突起１５とを備える。係止突起１５には、脚片１４の後端に近い位置ほど係止突起１５の脚片１４からの突出寸法を小さくする傾斜面を設けてある。
【００１４】
カバー２ｂの前側下端部には、前方と下方とに開放された凹部２１が設けられている。凹部２１の上端中央には、押釦ハンドル１の係止片１２が挿入係止される係止穴２２が貫設され、係止穴２２の左右にはそれぞれＵ字ばね片１３が挿通される挿通穴２３が貫設されている。さらに、凹部２１の底の左右両端部にはそれぞれ押釦ハンドル１の脚片１４が挿通される係止穴２４が貫設されている。押釦ハンドル１が押操作されていない状態では、係止突起１５は、係止穴２４の周縁においてカバー２ｂの後面つまり器体２の内面に係止される。また、カバー２ｂの後面の挿通穴２３の上側には、Ｕ字ばね片１３の先端が当接するばね受け凸部２９が後方へ突設してある。ここで、見栄えを向上するために、押釦ハンドル１が押操作されていない状態では押釦ハンドル１の操作部１１の前面がカバー２ｂの前面と略面一となり且つ押釦ハンドル１の下端が器体カバー２ｂの下端から突出しないように、凹部２１の深さ寸法や押釦ハンドル１の各部の寸法は設定されている。
【００１５】
また、押釦ハンドル１のＵ字ばね片１３の左右にはそれぞれ支点突起１６が突設され、カバー２ｂの凹部２１の底の支点突起１６に対応する位置の下側には、上端に近い位置ほど突出寸法が大きい曲面状に形成された凸部２５が設けられており、この凸部２５と凹部２１の上端との間には支点受け溝２５ａが形成されている。支点突起１６は、支点受け溝２５ａに挿入される。凹部２１の上端と凸部２５との間に挟まれることによって支点突起１６は位置決めされ、押釦ハンドル１は支点突起１６を揺動支点として揺動可能となっている。
【００１６】
さらに、カバー２ｂの凹部２１の底の左右両端部には、それぞれ上下に長いＵ字形状のスリットに囲まれ前後にばね性を有するばね片２７が設けられ、押釦ハンドル１は、各脚片１４の上側からそれぞれ後方へ突設された押圧片１８を備える。図１に示すように押圧片１８の後端がそれぞればね片２７に当接することにより押釦ハンドル１は前方へ付勢され、押釦ハンドル１が押力を受けていない状態では係止突起１５が器体２の内面に押しつけられている。
【００１７】
また、凹部２１の底の左右方向中間部には、２本のＵ字形状のスリットに挟まれ前後にばね性を有する中間操作体２６が設けられ、押釦ハンドル１の操作部１１の後面の中間操作体２６の下端部に対応する位置には操作片１７が突設されている。中間操作体２６の下端部の後側には、通話の開始・終了のトリガとなるタクトスイッチのようなスイッチ（図示せず）の操作体が位置している。
【００１８】
さらに、押釦ハンドル１の操作体１１には、スピーカを象った貫通穴を透明な材料で閉塞した透光窓１９が設けられている。また、凹部２１の底の透光窓１９に対応する位置には、器体２内のプリント配線版に実装された発光ダイオード（図示せず）を露出させる貫通穴２８を貫設してある。
【００１９】
押釦ハンドル１を器体２に取り付ける際には、図３（ａ）の矢印Ａ１及び図４の矢印Ａ２で示すように器体２の挿通穴２３にＵ字ばね片１３を挿通するとともに係止片１２を挿通穴２３の間の係止穴２２に挿入係止し、さらに凹部２１の左右の係止穴２４に脚片１４を導入して押し込むと、係止突起１５と係止穴２４の内面とが当接することにより脚片１４が弾性変形する。このとき、支点突起１６は凸部２５の前面に沿って上方へ摺動する。その後、係止突起１５が係止穴２４の後端に至ると、脚片１４が復帰して係止突起１５が係止穴２４の周縁の後面に係止される。同時に、支点突起１６は支点受け溝２５ａに挿入され、Ｕ字ばね片１３の先端はばね受け凸部２９に当接する。
【００２０】
本実施形態の動作を説明する。押釦ハンドル１の操作部１１に押力が加わると、押釦ハンドル１はＵ字ばね片１３を弾性変形させながら支点突起１６を揺動支点として揺動する。そして、中間操作体２６が操作片１７に押圧されて後方へ変位し、中間操作体２６の後面によってスイッチの操作体が押操作される。つまり、中間操作体２６がスイッチの操作体として機能していることになり、凹部２１が露出穴に相当する。ここで、貫通穴２８から露出する発光ダイオードはスイッチ操作に伴って点灯・消灯し、この発光ダイオードの光を押釦ハンドル１の透光窓１９を通して視認できるようになっている。
【００２１】
操作部１１への押力が解除されると、押釦ハンドル１は、Ｕ字ばね片１３及びばね片２７のばね力によって、係止突起１５が器体２の内面に当接する位置まで復帰する。このとき、係止突起１５がカバー２ｂの後面に当接することによって押釦ハンドル１が器体２から外れることが防止されている。つまり、係止突起１５が規制手段である。
【００２２】
上記構成によれば、押釦ハンドル１が押操作されていない状態では係止突起１５が器体２の内面に押しつけられることによって押釦ハンドル１の姿勢が安定するから、例えば親機からの呼出音などで器体２内のスピーカを鳴動させたことによって器体２が振動した場合にも、押釦ハンドル１とスイッチの操作体との衝突や押釦ハンドル１と器体２との衝突による騒音の発生を防止することができる。
【図面の簡単な説明】
【００２３】
【図１】本発明の実施形態の要部を示す断面図である。
【図２】本発明が用いられるインターホンの副親器を示す図であり、（ａ）は正面図、（ｂ）は右側面図、（ｃ）は下面図である。
【図３】本発明の実施形態の押釦ハンドルと器体のカバーとを分離した状態を示す図であり、（ａ）は正面図、（ｂ）は背面図である。
【図４】同上の要部を示す一部破断した側面図である。
【符号の説明】
【００２４】
１  押釦ハンドル
２  器体
１１  操作部
１５  係止突起
１７  操作片
２１  凹部
２６  中間操作体
２７  ばね片
【図１】
2005183231.tif 000003
【図２】
2005183231.tif 000004
【図３】
2005183231.tif 000005
【図４】
2005183231.tif 000006